(57)【要約】【課題】携帯情報端末装置において、小型化を図りつつ、変倍光学系を含むカメラユニットを設ける。【解決手段】表示部２１が配置された蓋体２０、操作釦１１が配置された本体１０、被写体を撮影するための変倍光学系及びＣＣＤ５２を含むカメラユニット４０を備え、カメラユニット４０は、被写体光の進行方向を変更させてＣＣＤ５２に導く反射ミラー４２を含み、反射ミラー４２を通過した光軸が表示部２１が配置された表面２０ｃと略平行となるように蓋体２０に設けられている。これにより、比較的光軸の長い変倍光学系を含むカメラユニットであっても、突出した輪郭とすることなく配置でき、装置を小型化できる。【選択図】　図１
2004007121.tif 000002
【特許請求の範囲】
【請求項１】
種々の情報を表示する表示部と、種々の操作を行なう操作釦と、被写体を撮影するための光学系及び撮像素子を含むカメラユニットと、前記表示部、前記操作部、及び前記カメラユニットを設ける筐体と、を備えた携帯情報端末装置であって、
前記カメラユニットは、撮影光軸の方向を変更させて前記撮像素子に導く変更要素を含み、かつ、前記変更要素を通過した光軸が前記表示部又は操作釦が配置された表面と略平行となるように前記筐体に設けられている、
ことを特徴とする携帯情報端末装置。
【請求項２】
前記筐体は、前記操作釦が配置された本体と、前記本体に対して開閉自在に連結されかつ前記表示部が配置された蓋体と、を含み、
前記カメラユニットは、前記変更要素を通過した光軸が前記蓋体の表面と略平行となるように前記蓋体に設けられている、
ことを特徴とする請求項１記載の携帯情報端末装置。
【請求項３】
前記筐体は、前記操作釦が配置された本体と、前記本体に対して開閉自在に連結されかつ前記表示部が配置された蓋体と、を含み、
前記カメラユニットは、前記変更要素を通過した光軸が前記本体の表面と略平行となるように前記本体に設けられている、
ことを特徴とする請求項１記載の携帯情報端末装置。
【請求項４】
前記カメラユニットは、被写体の倍率を可変にする変倍光学系を含む、
ことを特徴とする請求項１ないし３いずれかに記載の携帯情報端末装置。
【請求項５】
前記カメラユニットは、前記変倍光学系の変倍調整を手動により行なうための操作部を有する、
ことを特徴とする請求項１ないし４いずれかに記載の携帯情報端末装置。
【請求項６】
前記カメラユニットは、前記筐体に対して回動自在に設けられている、
ことを特徴とする請求項１ないし５いずれかに記載の携帯情報端末装置。
【請求項７】
前記カメラユニットは、前記本体及び蓋体の一方に配置され、かつ、前記変更要素よりも被写体寄りにおいて表面側に凸状をなすレンズを含み、
前記本体及び蓋体の他方には、前記蓋体が閉じられたときに前記レンズの一部を受け入れる窪みを有する、
ことを特徴とする請求項２ないし６いずれかに記載の携帯情報端末装置。
【請求項８】
前記変更要素は、反射プリズム又は反射ミラーである、
ことを特徴とする請求項１ないし７いずれかに記載の携帯情報端末装置。
【発明の詳細な説明】
【０００１】
【発明の属する技術分野】
本発明は、携帯電話機あるいは携帯型パーソナルコンピュータ等の携帯情報端末装置に関し、特に、操作者あるいは周辺の風景等を撮影可能なカメラユニットを備えた携帯情報端末装置に関する。
【０００２】
【従来の技術】
近年において、画像信号を送受信できるカメラユニット（モバイルカメラ）を備えた携帯電話機あるいは携帯型パーソナルコンピュータ等の携帯情報端末装置が開発されている。このカメラユニットは、単焦点レンズの光学系を採用するため、光学系の光軸方向における全長は比較的短く形成されている。
それ故に、従来のカメラユニットは、撮影窓からレンズを経てＣＣＤ（撮像素子）に向かうレンズの光軸が、表示部あるいは操作釦が配置された筐体の表面に対して垂直となるように、筐体の内部に収容されていた。
【０００３】
【発明が解決しようとする課題】
ところで、光学系として広角〜望遠の撮影が可能な変倍光学系を採用すると、レンズの光軸方向における全長が長くなるため、従来のように、光軸が筐体の表面に垂直となるようにカメラユニットを筐体の中に搭載することは困難である。また、単焦点レンズの光学系であっても、光軸方向における全長が長い場合は同様に搭載することは困難である。
仮に、全長の長い光学系を搭載すれば、部分的に突出した輪郭に形成しあるいは筐体を厚く形成しなければならず、装置の大型化を招き、携帯性が悪くなり、デザイン的にも好ましいものではない。
【０００４】
本発明は、上記の問題的に鑑みて成されたものであり、その目的とするところは、装置のコンパクト化、薄型化を図りつつ、レンズ全長の長い光学系、特に、変倍撮影が可能な変倍光学系を含むカメラユニットを備え、利便性に優れた携帯情報端末装置を提供することにある。
【０００５】
【課題を解決するための手段】
本発明の携帯情報端末装置は、種々の情報を表示する表示部と、種々の操作を行なう操作釦と、被写体を撮影するための光学系及び撮像素子を含むカメラユニットと、前記表示部、前記操作部、及び前記カメラユニットを設ける筐体と、を備えた携帯情報端末装置であって、上記カメラユニットは、撮影光軸の方向を変更させて撮像素子に導く変更要素を含み、かつ、変更要素を通過した光軸が表示部又は操作釦が配置された表面と略平行となるように筐体に設けられている、ことを特徴としている。
この構成によれば、カメラユニットに撮影光軸の方向を変更させる変更要素を含め、かつ、変更要素を通過した光の光軸が表示部又は操作釦が配置された表面と略略平行となるように、カメラユニットを筐体に設けたことにより、被写体光は、変更要素に入射して筐体の表面と略平行な方向に進行方向が変更された後、光学系を経て撮像素子に入射する。このように、レンズ全長が長い光学系を含むカメラユニットであっても、変更要素を用いることで装置を突出した輪郭とすることなく筐体に配置することができ、装置を小型化できる。
【０００６】
上記構成において、筐体は、操作釦が配置された本体と、本体に対して開閉自在に連結されかつ表示部が配置された蓋体とを含み、カメラユニットは、変更要素を通過した光軸が蓋体の表面と略平行となるように蓋体に設けられている、構成を採用できる。
この構成によれば、変更要素を通過した光の光軸が表示部を配置した表面と略平行となるように、カメラユニットを蓋体に設けたことにより、被写体光は、変更要素に入射して蓋体の表面と略平行な方向に進行方向が変更された後、光学系を経て撮像素子に入射する。このように、レンズ全長が長い光学系を含むカメラユニットであっても、変更要素を用いることで蓋体を突出した輪郭とすることなく配置することができ、装置を小型化できる。
【０００７】
また、上記構成において、筐体は、操作釦が配置された本体と、本体に対して開閉自在に連結されかつ表示部が配置された蓋体とを含み、カメラユニットは、変更要素を通過した光軸が本体の表面と略平行となるように本体に設けられている、構成を採用できる。
この構成によれば、変更要素を通過した光の光軸が操作釦を配置した表面と略平行となるように、カメラユニットを本体に設けたことにより、被写体光は、変更要素に入射して本体の表面と略平行な方向に進行方向が変更された後、光学系を経て撮像素子に入射する。このように、レンズ全長が長い光学系を含むカメラユニットであっても、変更要素を用いることで本体を突出した輪郭とすることなく配置することができ、装置を小型化できる。
【０００８】
上記構成において、カメラユニットは、被写体の倍率を可変にする変倍光学系を含む、構成を採用できる。
この構成によれば、光学系が変倍光学系であるため、広角〜望遠の範囲で適宜倍率を変えて被写体を撮影することができる。
【０００９】
上記構成において、カメラユニットは、変倍光学系の変倍調整を手動により行なうための操作部を有する、構成を採用できる。
この構成によれば、操作者が手動により操作部を操作することで、所望の倍率に適宜変倍調整を行ないつつ、被写体の撮影を行なえる。
【００１０】
上記構成において、カメラユニットは、筐体に対して回動自在に設けられている、構成を採用できる。
この構成によれば、カメラユニットに被写体光が入る向き（撮影方向）を適宜調整できるため、その撮影窓が操作者側に向くようにすれば操作者自らを撮影でき、一方、撮影窓が反対側（外側）を向くようにすれば周辺の風景等を撮影できる。
【００１１】
上記構成において、カメラユニットは、本体及び蓋体の一方に配置されかつ変更要素よりも被写体寄りにおいて表面側に凸状をなすレンズを含み、本体及び蓋体の他方には、蓋体が閉じられたときにレンズの一部を受け入れる窪みを有する、構成を採用できる。
この構成によれば、蓋体を閉じて本体に重ね合わせた状態において、カメラユニットのレンズは窪みに入り込む。したがって、蓋体と本体との厚みをその分だけ薄くでき、装置を小型化できる。
【００１２】
上記構成において、変更要素は、反射プリズム又は反射ミラーである、構成を採用できる。
この構成によれば、被写体光が反射プリズム又は反射ミラーに入射すると、その入射光は、下流側の光学系及び撮像素子に向けて、筐体の表面と略平行になるように進行方向が変更されて射出させられる。このように、変更要素として単体の要素を用いることで、構造を簡略化できる。
【００１３】
【発明の実施の形態】
以下、本発明の実施の形態について、添付図面を参照しつつ説明する。
図１ないし図６は、本発明に係る携帯情報端末装置の一実施形態として携帯電話機を示すものであり、図１は外観斜視図、図２は蓋体とカメラユニットを示す分解斜視図、図３ないし図６はカメラユニットの断面図である。
【００１４】
この携帯電話機は、図１に示すように、種々の操作釦１１が配置され筐体の一部を形成する本体１０、種々の情報を表示する表示部（液晶モニター）２１及びアンテナ２２が配置され筐体の一部を形成する蓋体２０、蓋体２０の一部を画定するように別個に形成されて蓋体２０に連結されたユニットケース３０、ユニットケース３０に収容されたカメラユニット４０等により形成されている。
蓋体２０は、本体１０に対してヒンジ構造により回動自在に連結されて、使用時には本体１０から離すように開けられ、使用しないときは閉じられて本体１０に重なり合うようになっている。
【００１５】
蓋体２０は、図１に示すように、輪郭が略矩形に形成され、その一端右側部には、別個に形成されたユニットケース３０が回動自在に連結されている。
ユニットケース３０は、図１及び図２に示すように、カメラユニット４０を収容するケース本体３１、ケース本体３１の一方側に形成された軸部３２等により形成されている。
そして、ユニットケース３０は、軸部３２が蓋体２０に形成された軸受穴２０ａに連結され、ケース本体３１が蓋体２０に形成された凹部２０ｂに収まるように位置付けられることで、蓋体２０に対して、軸線Ｓ回りに回動自在に支持されている。
【００１６】
ケース本体３１には、カメラユニット４０の撮影窓３１ａ、後述する操作部４８ｃが突出する長孔３１ｂが形成されている。ここで、撮影窓３１ａは、被写体光を通過させる透明な樹脂材料等により形成されている。
【００１７】
また、ユニットケース３０は、蓋体２０の軸受穴２０ａに対して、所定の角度位置に位置決めされるようになっている。すなわち、蓋体２０が本体１０に重なって閉じた収納状態から開けられると、図１に示すように、表示部２１と同一方向に撮影窓３１ａが向く位置に位置決めされた状態にあり、撮影窓３１ａが操作者に略対向するように方向付けられている。
【００１８】
その後、操作者が、ユニットケース３０の表面に指を押し付けて、撮影窓３１ａが反対側（外側）を向くようにユニットケース３０を軸線Ｓ回りに回転させることで、所望の角度位置に撮影窓３１ａを方向付けることができる。
ここで、所定の角度位置、例えば、図１に示す状態から９０度回転した位置及び１８０度回転した位置に、それぞれのユニットケース３０を位置決めする位置決め機構を設けてもよい。この場合、所定の角度位置（０度、９０度、１８０度）にて、ユニットケース３０（撮影窓３１ａ）が確実に固定されるため、撮影窓３１ａの向きがずれるのを防止でき、カメラユニット４０での撮影を安定して行なうことができる。
【００１９】
尚、上記の位置決め機構としては、例えば、軸部３２の外周面の一部に突起を設け、軸受穴２０ａの内周面の３箇所に突起を受け入れる凹みを設けた凹凸嵌合による構造を採用してもよい。この場合、突起が第１の凹みに入り込んだ状態で、撮影窓３１ａが図１に示すように操作者側を向く位置に位置決めされ、突起が第２の凹みに入り込んだ状態で、撮影窓４１ａが９０度回転した方向を向くように位置決めされ、突起が第３の凹みに入り込んだ状態で、撮影窓３１ａが１８０度回転した反対側（外側）を向く位置に位置決めされる。
【００２０】
このように、カメラユニット４０を収容したユニットケース３０が軸線Ｓ回りに回動自在となっているため、撮影窓３１ａが操作者側を向くようにすれば操作者自らを撮影でき、撮影窓３１ａが反対側（外側）を向くようにすれば周辺の風景等を撮影でき、又、位置決め機構を設けることで、ユニットケース３０の不意な回転による撮影窓３１ａのずれを防止でき、安定した撮影が行なえる。
【００２１】
カメラユニット４０は、図３ないし図６に示すように、変更要素及び光学系を収容する光学ユニット４０ａと、撮像素子等を保持する撮像ユニット４０ｂとにより形成されて、ユニットケース３０内に収容されかつ固定されている。
光学ユニット４０ａは、図３ないし図６に示すように、レンズケース４１、レンズケース４１内に収容された変更要素としての反射ミラー４２、光学系としての第１レンズ群４３及び第２レンズ群４４、第１レンズ群４３と第２レンズ群４４とをそれぞれ光軸方向Ｌ２に往復動自在に案内するガイドシャフト４５，４６、第１レンズ群４３及び第２レンズ群４４の回転を規制する回転規制シャフト４７、第１レンズ群４３及び第２レンズ群４４を光軸方向Ｌ２の所定の位置に移動させるカム部材４８等により形成されている。
【００２２】
レンズケース４１は、略長方体に形成され、光軸方向Ｌ２の一端側側面に矩形の開口部４１ａ、他端側端面に矩形の開口部４１ｂ、途中の側面に長孔４１ｃがそれぞれ形成されている。
反射ミラー５２は、被写体光の中心光線で表すと、その入射光線Ｌ１を直角な光軸方向Ｌ２に変更させて、第１レンズ群４３及び第２レンズ群４４並びにＣＣＤ５２に向けて射出する。
【００２３】
カム部材４８は、図５に示すように、断面が円弧状をなすように形成され、その内周面には、第１レンズ群４３にカム作用を及ぼす第１カム溝４８ａと第２レンズ群４４にカム作用を及ぼす第２カム溝４８ｂとが形成され、その外周面には、手動操作を行なうための突出した操作部４８ｃが形成されている。
そして、操作部４８ｃは、図２及び図５に示すように、レンズケース４１の長孔４１ｃ及びユニットケース３０の長孔３１ｂから外部に突出している。したがって、操作者が、手動により操作部４８ｃを揺動させることで、カム部材４８が所定の角度範囲を往復動して第１レンズ群４３及び第２レンズ群４４にカム作用を及ぼし、広角〜望遠の範囲で撮影を行なうための変倍調整が行なわれる。
【００２４】
第１レンズ群４３は、図３、図４、図５（ａ）に示すように、略矩形の輪郭をなす両凹レンズＧ１、両凹レンズＧ１を保持するレンズ枠４３ａとにより形成されている。レンズ枠４３ａは、ガイドシャフト４５に外嵌される連結部４３ｂ、回転規制シャフト４７に係合されるＵ字部４３ｃ、カム部材４８の第１カム溝４８ａに挿入されて案内される第１フォロワ４３ｄ等を備えている。
【００２５】
第２レンズ群４４は、図３、図４、図５（ｂ）に示すように、略矩形の輪郭をなす両凸レンズＧ２、両凸レンズＧ２を保持するレンズ枠４４ａとにより形成されている。レンズ枠４４ａは、ガイドシャフト４６に外嵌される連結部４４ｂ、回転規制シャフト４７に係合されるＵ字部４４ｃ、カム部材４８の第２カム溝４８ｂに挿入されて案内される第２フォロワ４４ｄ等を備えている。
【００２６】
撮像ユニット４０ｂは、図３ないし図６に示すように、保持部材４９、保持部材４９に保持されたローパスフィルタ５０、フェースプレート５１、撮像素子としてのＣＣＤ５２、回路基板５３等により形成されている。
【００２７】
光学ユニット４０ａと撮像ユニット４０ｂとは、それぞれ別個に組み立てられた後に組み付けられるものであり、お互いに組み付けられた状態で、光軸方向Ｌ２における相対的な位置が調整されるようになっている。
すなわち、レンズケース４１には、図５及び図６に示すように、ガイドシャフト５４が嵌合されるフランジ４１ｄ、調整ネジ５５が螺合される雌ネジ４１ｅ´を有するフランジ４１ｅが一体的に形成されている。
一方、保持部材４９には、図６に示すように、調整ネジ５５が挿入される貫通孔４９ａ´を有するフランジ４９ａ、ガイドシャフト５４が挿入される貫通孔４９ｂ´を有するフランジ４９ｂが一体的に形成されている。
【００２８】
そして、貫通孔４９ｂ´にガイドシャフト５４が通され、保持部材４９の矩形突出部４９ｃがレンズケース４１の開口部４１ｂに通され、フランジ４１ｅとフランジ４９ａとの間にスプリング５６を圧縮した状態で配置し、調整ネジ５５が雌ネジ４１ｅ´に螺合されると、光学ユニット４０ａと撮像ユニット４０ｂとが連結されると共に、調整ネジ５５のねじ込み量を適宜調整することで、第１レンズ群４３及び第２レンズ群４４とＣＣＤ５２との相対的な距離が微調整される。この微調整により、ＣＣＤ５２に対する焦点合わせ等の初期調整を行なうことができる。
【００２９】
上記の構成をなすカメラユニット４０は、その伸長方向すなわち反射ミラー４２を通過した射出光の光軸方向Ｌ２（ユニットケース３０の軸線）が、蓋体２０の表面２０ｃと平行となるように配置されている。
したがって、比較的光軸の長い変倍光学系を含むカメラユニット４０であっても、蓋体２０に突出した輪郭を設けることなくあるいは蓋体２０を厚くすることなく、蓋体２０と同一厚さのユニットケース３０内に容易に収容でき、装置の小型化を達成しつつ変倍光学系を採用することができる。
【００３０】
次に、上記携帯電話機の操作について説明する。先ず、蓋体２０が閉じられた状態から、蓋体２０を図１に示すように開くと、ユニットケース３０（カメラユニット４０）の撮影窓３１ａは、表示部２１と同一方向に方向付けられている。
【００３１】
この状態で、操作釦１１の一つを操作してカメラユニット４０（ＣＣＤ５２）のスイッチをＯＮにすると、撮影窓３１ａの前方にある操作者等からの被写体光が、撮影窓３１ａから入射し、その進行方向が反射ミラー４２により変更される。そして、変更された射出光は、第１レンズ群４３及び第２レンズ群４４を経て、ＣＣＤ５２の撮像面に達する。
【００３２】
そして、ＣＣＤ５２により撮影された画像は、所定の画像処理がなされ、表示部（液晶モニター）２１に表示される。ここで、操作者が、手動により操作部４８ｃを移動させてカム部材４８の位置を調整し、図３に示すように第１レンズ群４３及び第２レンズ群４４をお互いに離隔した位置に位置付けると、被写体の広角撮影が行なわれて表示部２１に広角画像が表示され、一方、図４に示すように第１レンズ群４３及び第２レンズ群４４をお互いに近接した位置に位置付けると、望遠撮影が行なわれて表示部２１に望遠画像が表示される。
【００３３】
したがって、操作者は、表示部２１でこれらの撮影画像を確認しながら撮影倍率を適宜調整し、所望倍率の画像に調整できた時点で、操作釦１１の一つを押してシャッタ操作を行ない、記憶部に撮影画像を保存し、あるいは、送信操作を行なって通信相手に撮影画像を送信することができる。
【００３４】
ところで、被写体を撮影者等から周辺の風景に切り替えたい場合には、ユニットケース３０の表面に指を押し付けて、撮影窓３１ａが例えば反対側（外側）を向くようにユニットケース３０を回転させると、所定の角度だけ回転した位置で位置決めされる。そこで、操作者は、表示部２１に表示される風景画像等を確認しながら前述同様に撮影倍率を適宜調整し、所望倍率の画像に調整できた時点で、操作釦１１の一つを押してシャッタ操作を行なって、前述同様に撮影画像の保存あるいは送信を行なうことができる。
【００３５】
上記のように、変倍光学系による変倍調整は、操作者の手動操作により行なわれるため、カメラユニット４０は、モータ等により変倍駆動する場合に比べて、電力の消費もなく、構造も簡略化され、全体として装置が小型化される。
特に、変倍光学系を含むカメラユニット４０が、蓋体２０の輪郭の一部を画定するユニットケース３０内に収容されているため、デザイン的にも優れ、又、携帯性にも優れ、取り扱い上便利である。
尚、この携帯電話機においては、変更要素として反射ミラー４２を採用したが、三角柱をなす反射プリズム等を採用してもよい。
【００３６】
図７ないし図９は、携帯情報端末装置の他の実施形態に係る携帯電話機を示すものであり、前述の実施形態と同一の構成については同一の符号を付してその説明を省略する。この携帯電話機は、図７に示すように、種々の操作釦１１が配置され筐体の一部を形成する本体１００、種々の情報を表示する表示部（液晶モニター）２１及びアンテナ２２が配置され筐体の一部を形成する蓋体２００、本体１００に収容されたカメラユニット４０´等により形成されている。
【００３７】
本体１００は、図７に示すように、輪郭が略矩形に形成され、その表面１００ａには種々の操作釦１１が配置され、又、表面１００ａの左側部には、カメラユニット４０´の撮影窓１００ｂ、操作部４８ｃを突出させる長孔１００ｃが形成され、その内部には、左側部に沿って伸長するようにカメラユニット４０´が収容されている。
【００３８】
カメラユニット４０´は、レンズケース４１´の形状を一部変更し、変更要素として反射プリズム４２´を採用し、開口部４１ａにおいて外側すなわち本体１００の表面１００ａ側に凸状をなすレンズ６０を設けた以外は、前述のカメラユニット４０と同一の構成である。
【００３９】
反射プリズム４２´は、三角柱をなす三角プリズムであり、被写体光の中心光線で表すと、図８に示すように、その入射光線Ｌ１を直角な光軸方向Ｌ２に変更させて、第１レンズ群４３及び第２レンズ群４４並びにＣＣＤ５２に向けて射出する。レンズ６０は、反射プリズム４２´よりも被写体寄りに配置され、その凸面６０ａが撮影窓１００ｂから外側に突出するようになっている。
【００４０】
蓋体２００は、図７に示すように、輪郭が略矩形に形成され、本体１００に対してヒンジ構造により回動自在に連結され、使用時には本体１００から離すように開けられ、使用しないときは閉じられて本体１００に重なり合うようになっている。
蓋体２００の表面２００ａには、閉じたときに撮影窓１００ａと対向する位置に円形の窪み２００ｂが形成されている。
【００４１】
窪み２００ｂは、蓋体２００が閉じられて本体１００に重なった状態で、表面１００ａから突出したレンズ６０の凸面６０ａ側（一部）を受け入れる寸法に形成されている。したがって、窪み２００ｂを設けない場合に比べて、蓋体２００及び本体１００の厚みをその分だけ薄くでき、装置を小型化できる。
この携帯電話機の操作については、カメラユニット４０´が回動できない点を除いて、基本的に前述の実施形態と同一であるため、ここでの説明は省略する。
【００４２】
尚、この携帯電話機においては、カメラユニット４０´を本体１００の内部に固定したが、前述の実施形態と同様にカメラユニット４０´を収容する別個のユニットケースを設け、このユニットケースを本体１００に対して回動自在に取り付ける構成を採用してもよい。この場合、ユニットケースを反転させることで、前述同様に被写体を操作者側から反対側に位置する周辺の風景等に切り替えることができる。
【００４３】
上記実施形態においては、カメラユニット４０，４０´を設ける筐体として、本体１０，１００あるいは蓋体２０，２００を示したが、これに限定されるものではなく、表示部２１と操作釦１１とが一緒に配置された一つの筐体からなる装置において、その筐体の内部あるいは筐体の輪郭を画定する一部分として設ける構成を採用してもよい。
【００４４】
また、上記実施形態においては、携帯情報端末装置として携帯電話機を示したが、これに限定されるものではなく、携帯型パーソナルコンピュータ等において変更要素を含むカメラユニット４０，４０´を採用してもよい。
さらに、上記実施形態においては、光学系として第１レンズ群４３及び第２レンズ群４４を含む変倍光学系を示したが、これ以上のレンズ群を含む変倍光学系であってもよく、又、比較的に光軸の長い単焦点の光学系であっても、本発明に係る配置構造を採用できる。
【００４５】
【発明の効果】
以上述べたように、本発明の携帯情報端末装置によれば、被写体を撮影するための光学系及び撮像素子並びに撮影光軸の方向を変更させる変更要素を含むカメラユニットを、変更要素を通過した光軸が表示部又は操作釦をもつ筐体（蓋体あるいは本体）の表面と略平行となるように筐体に設けたことにより、レンズの光軸方向における全長が長い光学系を含むカメラユニットであっても、装置に突出した輪郭を設けることなく、筐体の輪郭の範囲内に容易に収容でき、小型で携帯性に優れ、取り扱い上便利な携帯情報端末装置が得られる。
特に、カメラユニットの光学系を変倍光学系としても、容易に収容でき、小型で、広角〜望遠での変倍撮影が可能な携帯情報端末装置が得られる。
【図面の簡単な説明】
【図１】本発明に係る携帯情報端末装置の一実施形態を示す携帯電話機の外観斜視図である。
【図２】蓋体及びカメラユニットを示す分解斜視図である。
【図３】光学系が広角撮影位置にある状態を示すカメラユニットの断面図である。
【図４】光学系が望遠撮影位置にある状態を示すカメラユニットの断面図である。
【図５】（ａ），（ｂ）は光軸を横切る面でのカメラユニットの断面図である。
【図６】光軸に沿った面でのカメラユニットの断面図である。
【図７】本発明に係る携帯情報端末装置の他の実施形態を示す携帯電話機の外観斜視図である。
【図８】光学系が広角撮影位置にある状態を示すカメラユニットの断面図である。
【図９】光学系が望遠撮影位置にある状態を示すカメラユニットの断面図である。
【符号の説明】
１０　本体（筐体）
１１　操作釦
２０　蓋体（筐体）
２０ａ　軸受穴
２０ｂ　凹部
２０ｃ　表面
２１　表示部
２２　アンテナ
３０　ユニットケース
３１ａ　撮影窓
３１ｂ　長孔
３１ｃ　開口部
３２　軸部
４０，４０´　カメラユニット
４０ａ　光学ユニット
４０ｂ　撮像ユニット
４１，４１´　レンズケース
４１ａ，４１ｂ　開口部
４１ｃ　長孔
４２　反射ミラー（変更要素）
４２´　反射プリズム（変更要素）
４３　第１レンズ群（変倍光学系）
４４　第２レンズ群（変倍光学系）
４５，４６　ガイドシャフト
４７　回転規制シャフト
４８　カム部材
４８ａ　第１カム溝
４８ｂ　第２カム溝
４８ｃ　操作部
４９　保持部材
５０　ローパスフィルタ
５１　フェースプレート
５２　ＣＣＤ（撮像素子）
５３　回路基板
６０　レンズ
１００　本体（筐体）
１００ａ　表面
１００ｂ　撮影窓
１００ｃ長孔
２００　蓋体（筐体）
２００ａ　表面
２００ｂ　窪み
Ｓ　軸線
Ｌ１　被写体光の光軸方向（撮影光軸の方向）
Ｌ２　変更された射出光の光軸方向
【図１】
2004007121.tif 000003
【図２】
2004007121.tif 000004
【図３】
2004007121.tif 000005
【図４】
2004007121.tif 000006
【図５】
2004007121.tif 000007
【図６】
2004007121.tif 000008
【図７】
2004007121.tif 000009
【図８】
2004007121.tif 000010
【図９】
2004007121.tif 000011